(57)【要約】【課題】均斉度を確保しつつ、パネルの表示面を広げるのに有利な照明器具を提供する。【解決手段】照明器具１０は、情報が記載された透光性のパネル１４，１６と、パネル１４，１６の一端を支持する第１枠部３０と、第１枠部３０に対向してパネル１４，１６の他端を支持する第２枠部３１とを含む筐体１２と、第１枠部３０の側に設けられ、パネルの裏面１４ｂ、１６ｂに沿って、第２枠部３１の側に向けて光を照射する光源５０と、第２枠部３１の側に設けられ、光源５０から照射された光を光源５０の側に向けて反射させる第１反射部材２２と、第１枠部３０の側に設けられ、第１反射部材２２で反射された光をパネルの表示面１４ａ、１６ａに向けて反射させる第１反射面２３ｄを有する第２反射部材２３とを備える。第１反射面２３ｄは、光源５０の側面とパネルの裏面１４ｂ、１６ｂとが対向する領域に含まれる。【選択図】図２
2020119699.tif 000002
【特許請求の範囲】
【請求項１】
情報が記載された透光性のパネルと、
前記パネルの一端を支持する第１枠部と、前記第１枠部に対向して前記パネルの他端を支持する第２枠部とを含む筐体と、
前記第１枠部の側に設けられ、前記パネルの裏面に沿って、前記第２枠部の側に向けて光を照射する光源と、
前記第２枠部の側に設けられ、前記光源から照射された光を前記光源の側に向けて反射させる第１反射部材と、
前記第１枠部の側に設けられ、前記第１反射部材で反射された光を前記パネルの表示面に向けて反射させる第１反射面を有する第２反射部材と、
を備え、
前記第１反射面は、前記光源の側面と前記パネルの前記裏面とが対向する領域に含まれる、照明器具。
【請求項２】
前記光源は、前記第１枠部に取り付けられる光源ユニットの一部であり、
前記第１反射面は、前記パネルの前記裏面に沿った方向における前記第１枠部の端部と前記光源ユニットの先端部との間の表示領域に面する、請求項１に記載の照明器具。
【請求項３】
前記第２反射部材は、前記光源ユニットに支持される、請求項２に記載の照明器具。
【請求項４】
前記第２反射部材は、前記筐体に支持される、請求項１又は２に記載の照明器具。
【請求項５】
前記第１反射面は、白色面である、請求項１乃至４のいずれか１項に記載の照明器具。
【請求項６】
前記第２反射部材は、前記光源で生じた光を前記第２枠部の側に向けて反射させる第２反射面を有する、請求項１乃至５のいずれか１項に記載の照明器具。
【請求項７】
前記第２反射面には、鏡面仕上げが施されている、請求項６に記載の照明器具。
【請求項８】
前記第２反射部材は、前記光源の配列方向に沿った曲げ線を基準として、曲げ角が鈍角となるように折り曲げられた第１板部と第２板部とを含む板体加工部材であり、
前記第１板部は、前記第１反射面を含み、
前記第２板部は、前記第２反射面を含む、請求項６又は７に記載の照明器具。
【請求項９】
前記パネルは、一方の側に表出する第１パネルと、前記光源が光を照射する空間を挟んで前記第１パネルとは反対側に表出する第２パネルとを含み、
前記第２反射部材は、前記第１パネルの側と前記第２パネルの側とのそれぞれにあり、
一方の前記第２反射部材に含まれる第１反射面は、前記第１反射部材で反射された光を前記第１パネルの表示面に向けて反射させ、
他方の前記第２反射部材に含まれる第１反射面は、前記第１反射部材で反射された光を前記第２パネルの表示面に向けて反射させる、請求項１乃至８のいずれか１項に記載の照明器具。
【発明の詳細な説明】
【技術分野】
【０００１】
本開示は、サイン灯等に用いられる照明器具に関する。
【背景技術】
【０００２】
従来、駅名表示サイン灯や、店舗やビルディング等で使用されるサイン灯等に面光源として用いられる照明器具がある。
【０００３】
特許文献１は、厚み方向で対向する両面に透光性のパネルを有する筐体内に、光源の光を反射してパネルから外方へ出射させる反射部材を含む、中空導光式の照明器具を開示している。この照明器具では、光源としての蛍光ランプを装着するソケット台などからなる光源ユニットは、それぞれパネルを支持する前面板や後面板の枠板に隠れるため、外部からは視認されない。
【先行技術文献】
【特許文献】
【０００４】
【特許文献１】特開２００７−８０６８１号公報
【発明の概要】
【発明が解決しようとする課題】
【０００５】
近年、このような中空導光式の照明器具では、パネルの表示面をより広くすることが求められている。そこで、例えば、筐体全体の大きさを維持しつつ、前面板や後面板の枠板の幅をより狭くすることで、パネルの表示面を広げることが考えられる。しかし、枠板の幅が狭くなると、光源ユニット全体が枠板に隠れることができなくなることもあり得る。この場合、光源ユニットの一部がパネルの裏面に現れてしまうことで、光源から照射された光が、光源と対向する位置にある反射板で反射されて戻ってきても、特に光源の側面近傍の領域の光が不足する。したがって、パネルの表示面のうち光源に近い領域で光ムラが生じ、結果として表示面の均斉度が低下することもあり得る。
【０００６】
本開示は、このような従来技術の有する課題に鑑みてなされたものである。そして、本開示の目的は、均斉度を確保しつつ、パネルの表示面を広げるのに有利な照明器具を提供することにある。
【課題を解決するための手段】
【０００７】
上記課題を解決するために、本開示の態様に係る照明器具は、情報が記載された透光性のパネルと、パネルの一端を支持する第１枠部と、第１枠部に対向してパネルの他端を支持する第２枠部とを含む筐体と、第１枠部の側に設けられ、パネルの裏面に沿って、第２枠部の側に向けて光を照射する光源と、第２枠部の側に設けられ、光源から照射された光を光源の側に向けて反射させる第１反射部材と、第１枠部の側に設けられ、第１反射部材で反射された光をパネルの表示面に向けて反射させる第１反射面を有する第２反射部材と、を備え、第１反射面は、光源の側面とパネルの裏面とが対向する領域に含まれる。
【発明の効果】
【０００８】
本開示によれば、均斉度を確保しつつ、パネルの表示面を広げるのに有利な照明器具を提供することができる。
【図面の簡単な説明】
【０００９】
【図１】本開示の一実施形態に係る照明器具を示す図である。
【図２】図１中のＩＩ−ＩＩ断面を示す図である。
【図３】第２反射部材の他の形状を示す断面図である。
【発明を実施するための形態】
【００１０】
以下、本実施形態について図面を参照しつつ詳細に説明する。以下の説明では、照明器具に含まれる表示パネルの表示面がＸＺ平面に平行であると想定し、この場合、Ｚ方向を鉛直方向と規定し、Ｘ方向をＺ方向に垂直な方向と規定する。そして、ＸＺ平面に対して垂直で、２つの表示パネルが互いに対向する方向をＹ方向と規定する。以下、Ｙ方向については、照明器具の全体形状に基づいて、「厚み方向」と表記する。
【００１１】
図１は、本実施形態に係る照明器具１０を示す前面図である。図１では、便宜上、厚み方向で対向する２つの表示パネルのうちの第１パネル１４を、前面側の表示パネルと想定している。また、図１では、照明器具１０においてＸ方向マイナス側に相当する一部を切り欠いて描写し、内部構造を視認可能としている。また、図２は、図１中のＩＩ−ＩＩ断面を示す図である。ただし、図２では、要部を拡大して表示するために、中央領域の描画を一部省略している。
【００１２】
照明器具１０は、情報が記載された表示面を前面側と後面側との両方に有する表示パネルを設けて内側から光源により照射する、両面発光型の照明器具である。例えば、照明器具１０は、駅において、駅名表示のために用いられる駅名表示サイン灯に採用され得る。
【００１３】
照明器具１０は、筐体１２と、第１パネル１４と、第２パネル１６と、光源ユニット１８と、電源ユニット２０と、第１反射部材２２と、第２反射部材２３とを有する。
【００１４】
筐体１２は、厚み方向で対向する両面で第１パネル１４又は第２パネル１６を支持するとともに、その内部に、光源ユニット１８、電源ユニット２０、第１反射部材２２及び第２反射部材２３を設置する。筐体１２は、第１パネル１４の表示面１４ａ又は第２パネル１６の表示面１６ａの大きさに対して厚み方向の厚みが薄くなる直方体状に形成されている。筐体１２の材質は、例えば、衝撃に強く、錆難いステンレス材とし得る。
【００１５】
筐体１２は、厚み方向の両面が開口部を有する枠体である。筐体１２は、上方の第１枠部３０と、下方の第２枠部３１と、第１枠部３０と第２枠部３１とをそれぞれ両端で連結する第３枠部３２及び第４枠部３３とを含む。なお、筐体１２は、より細分化された要素が組み合わされて構成されてもよい。例えば、筐体１２は、厚み方向の両面が開口部を有する枠体と、枠体の前面側の開口部を閉塞する前面板と、枠体の後面側の開口部を閉塞する後面板とが組み合わされて構成されてもよい。
【００１６】
第１枠部３０は、天板部３０ａと、第１前枠板３０ｂと、第１後枠板３０ｃとを含む。第２枠部３１は、底板部３１ａと、第２前枠板３１ｂと、第２後枠板３１ｃとを含む。第３枠部３２は、第１側板部３２ａと、第３前枠板３２ｂと、第３後枠板とを含む。第４枠部３３は、第２側板部３３ａと、第４前枠板と、第４後枠板３３ｃとを含む。なお、第３後枠板及び第４前枠板は、不図示である。
【００１７】
本実施形態では、天板部３０ａは、Ｘ方向を長手方向とし、第１側板部３２ａ及び第２側板部３３ａと比較して長尺の矩形板状である。底板部３１ａは、Ｚ方向で天板部３０ａと対向し、天板部３０ａと同様にＸ方向を長手方向として長尺の矩形板状である。
【００１８】
第１前枠板３０ｂと、第２前枠板３１ｂと、第３前枠板３２ｂと、第４前枠板３３ｂとは、本実施形態における前面板を構成する。前面板とは、第１パネル１４を保持する板体をいう。本実施形態では、一例として、第１前枠板３０ｂ、第２前枠板３１ｂ、第３前枠板３２ｂ及び第４前枠板３３ｂのそれぞれの幅寸法Ｗが同一であるものとする。第１前枠板３０ｂ、第２前枠板３１ｂ、第３前枠板３２ｂ及び第４前枠板３３ｂは、第１パネル１４の表示面１４ａを露出させる略矩形状の開口部３４を形成する。つまり、開口部３４の形状と表示面１４ａの形状とは一致する。第１前枠板３０ｂ、第２前枠板３１ｂ、第３前枠板３２ｂ又は第４前枠板３３ｂには、不図示であるが、第１パネル１４を取り付けるための金具やボルトなどを備えてもよい。
【００１９】
第１後枠板３０ｃと、第２後枠板３１ｃと、第３後枠板３２ｃと、第４後枠板３３ｃとは、本実施形態における後面板を構成する。後面板とは、第２パネル１６を保持する板体をいう。前面板と同様に、本実施形態では、第１後枠板３０ｃ、第２後枠板３１ｃ、第３後枠板３２ｃ及び第４後枠板３３ｃのそれぞれの幅寸法Ｗが同一であるものとする。第１後枠板３０ｃ、第２後枠板３１ｃ、第３後枠板３２ｃ及び第４後枠板３３ｃは、第２パネル１６の表示面１６ａを露出させる略矩形状の開口部３５を形成する。つまり、開口部３５の形状と表示面１６ａの形状とは一致する。第１後枠板３０ｃ、第２後枠板３１ｃ、第３後枠板３２ｃ又は第４後枠板３３ｃには、不図示であるが、第２パネル１６を取り付けるための金具やボルトなどを備えてもよい。
【００２０】
ここで、以下で詳説する光源ユニット１８に関して、光源ユニット１８が設置される天板部３０ａの内面から、光源ユニット１８の先端部までの距離をＨとする。本実施形態では、光源ユニット１８の先端部は、カバー５６の先端面に相当する。これに対して、第１前枠板３０ｂと第１後枠板３０ｃとの幅寸法Ｗは、それぞれ距離Ｈよりも短い。つまり、光源ユニット１８は、Ｚ方向では、第２枠部３１に向かって、第１前枠板３０ｂ及び第１後枠板３０ｃの端部よりも表示領域Ｒ分だけ突出している。この場合、表示領域Ｒは、距離Ｈから幅寸法Ｗを減じた部分となる。
【００２１】
なお、照明器具１０が駅ホーム等の天井部分に設置されるものとすると、筐体１２は、不図示であるが、例えば、吊り下げ部材を取り付ける取付穴を備え、天井部分から予め吊設されている吊り下げ部材を介して固定されてもよい。
【００２２】
第１パネル１４及び第２パネル１６は、それぞれ、アクリル材等の透光性を有する平板部材である。ここで、例えば乳白色のアクリル材を用いることで、第１パネル１４及び第２パネル１６に、光源ユニット１８から照射された光を拡散する拡散板としての役割も持たせることができる。第１パネル１４及び第２パネル１６の表示面には、照明器具１０を設置する駅の駅名や、当該駅の前後の駅名等を示す文字が記載されている。
【００２３】
光源ユニット１８は、筐体１２内において、第１パネル１４と第２パネル１６とで挟まれた空間に光を照射する。照明器具１０は、光源ユニット１８がこのように光を照射する構成を採用することで、中空導光式とも言える。
【００２４】
光源ユニット１８は、複数の光源５０と、複数の光源５０を装着するベース５２と、複数の光源５０をそれぞれ覆うレンズ５４と、複数のレンズ５４を含む複数の光源５０の全体を覆うカバー５６とを含む。
【００２５】
光源５０は、ＬＥＤ（発光ダイオード）である。ベース５２は、複数の光源５０を所定の間隔で一列に配置する。本実施形態における光源ユニット１８は、一例として、７つの光源５０を含むものとする。レンズ５４は、アクリル材等の透光性の材料で形成される狭角レンズである。
【００２６】
光源ユニット１８は、第１パネル１４及び第２パネル１６のそれぞれの裏面に沿って光Ｌ１を照射する。そこで、光源ユニット１８は、筐体１２内において、第１パネル１４及び第２パネル１６とそれぞれ直交する側面の一つの側に設置される。ここで、側面とは、具体的には、天板部３０ａ、底板部３１ａ、第１側板部３２ａ又は第２側板部３３ａのいずれかの内面である。本実施形態では、一例として、６つの光源ユニット１８が、第１枠部３０の天板部３０ａに、Ｘ方向に一列に並設されているものとする。
【００２７】
光源ユニット１８は、取り付け金具５８を介して天板部３０ａに設置される。取り付け金具５８は、例えば、光源ユニット１８に接触する第１板部５８ａと、第１板部５８ａに対向し、天板部３０ａに接触する第２板部５８ｂと、第１板部５８ａと第２板部５８ｂとを鉛直方向で連接させる第３板部５８ｃ及び第４板部５８ｄとを含む。なお、第１板部５８ａは、不図示のボルトにより光源ユニット１８を固定してもよい。同様に、第２板部５８ｂは、不図示のボルトにより天板部３０ａに固定されてもよい。この構成によれば、光源ユニット１８は、天板部３０ａの内面から鉛直方向下方に向かって吊り下げられた姿勢となる。
【００２８】
電源ユニット２０は、交流電流を直流電流に変換して、ＬＥＤである光源５０に電力を供給する。電源ユニット２０は、例えば、光源ユニット１８と天板部３０ａとの間の空間に設置される。この場合、電源ユニット２０は、光源ユニット１８を取り付けるための取り付け金具５８に併せて取り付けられてもよいし、又は、天板部３０ａに第２板部５８ｂを固定するためのボルトにより併せて固定されてもよい。
【００２９】
本実施形態では、一例として、図１に示すように、２つの光源ユニット１８を１組として、１組につき１つの電源ユニット２０が用いられるものとする。また、１組の光源ユニット１８は、１組の取り付け金具５８を介して天板部３０ａに設置されるものとする。
【００３０】
第１反射部材２２は、光源５０から照射された光Ｌ１を光源５０の側に反射させる。本実施形態では、第１反射部材２２は、筐体１２内において、光源５０が設置されている側面に対向する面に設置される。第１反射部材２２としては、例えば、反射面に鏡面仕上げが施されたアルミ板等の金属板を採用し得る。又は、第１反射部材２２として、より簡易的に、表面に鏡面仕上げが施されたアルミテープであってもよい。本実施形態では、光源ユニット１８が天板部３０ａに設置されているので、光源５０から照射された光Ｌ１は、底板部３１ａに向かう。そこで、この場合には、第１反射部材２２は、反射面が光源ユニット１８すなわち光源５０に対向する姿勢で、底板部３１ａの内面に設置される。
【００３１】
第２反射部材２３は、光源５０の近傍である第１枠部３０の側に設けられ、第１反射部材２２で反射された光Ｌ２を第１パネル１４の表示面１４ａ又は第２パネル１６の表示面１６ａに向けて反射させる。本実施形態では、第１パネル１４の表示面１４ａに向けて光を反射させるものと、第２パネル１６の表示面１６ａに向けて光を反射させるものとの２つの第２反射部材２３が存在する。これら２つの第２反射部材２３の形状は、光源５０の配列を基準として単に対称形である。そこで、以下、第２反射部材２３の構成等については、一例として、第１パネル１４側にある第２反射部材２３に関して説明する。
【００３２】
第２反射部材２３は、光源５０の配列方向であるＸ方向に沿って長く、例えば、Ｘ方向に沿って曲げ線２３ｃを基準として、曲げ角θが鈍角となるように折り曲げられた第１板部２３ａと第２板部２３ｂとを含む板体加工部材である。第２反射部材２３が筐体１２の内部に取り付けられている状態では、第１板部２３ａは、第１パネル１４の側に近く、第２板部２３ｂは、光源５０の側に近い。なお、図１では、図面構成上、奥側にある光源ユニット１８等を表出させるために、実際には光源ユニット１８等よりも手前側にある第１板部２３ａを二点鎖線で描画している。
【００３３】
第１板部２３ａは、第１反射面２３ｄを含む。第１反射面２３ｄは、第１反射部材２２で反射された光Ｌ２を第１パネル１４の表示面１４ａに向けて反射させる。そのため、第１反射面２３ｄは、第１反射部材２２で反射された光Ｌ２の進行方向に対して、手前側から奥側に進むにつれて徐々に第１パネル１４側に近づくように傾斜している。
【００３４】
第１反射面２３ｄは、光源５０の側面と、第１パネルの裏面１４ｂとが対向する領域に含まれる。ここで、光源５０の側面とは、照明器具１０において光を発する構成部分の側面を意味する。したがって、本実施形態のように、光源５０に加えてレンズ５４やカバー５６を含む光源ユニット１８を、光を発する構成部分とする場合には、光源ユニット１８の側面としてのカバー５６の側面を、光源５０の側面とみなすことができる。なお、例えば、照明器具１０が、レンズ５４やカバー５６等を有せずに、筐体１２内に直接露出するような光源を採用する場合には、当該光源の側面が、文字通り、光源５０の側面となる。
【００３５】
また、第１反射面２３ｄは、第１パネル１４の裏面１４ｂに沿った方向における第１枠部３０の端部と光源ユニット１８の先端部との間の表示領域Ｒに面する。つまり、第１パネル１４の表示方向であるＹ方向に沿って表示面１４ａ側から筐体１２の内部を見たとしても、光源ユニット１８は、第１反射面２３ｄに隠れるため、視認されない。また、第１反射面２３ｄは、白色の塗装された白色面であってもよい。
【００３６】
第２板部２３ｂは、第２反射面２３ｅを含む。第２反射面２３ｅは、光源５０に面し、光源５０で生じた光を第２枠部３１の側に向けて反射させる。ここで、光源５０で生じた光とは、Ｚ方向に沿って照射された光のみならず、例えば、レンズ５４やカバー５６から側方に漏れた光等も含む。第２反射面２３ｅには、鏡面仕上げが施されていてもよい。
【００３７】
また、第２反射部材２３は、光源ユニット１８に支持される。この場合、第２板部２３ｂは、例えば、光源ユニット１８、又は、光源ユニット１８を支持する取り付け金具５８に対して、不図示のボルト等を用いて締結され、固定されてもよい。
【００３８】
第２反射部材２３のＸ方向に沿った延伸方向の長さは、例えば、以下のように規定することができる。第１に、図１に示すように、第２反射部材２３の延伸方向の長さは、第１パネル１４の表示面１４ａのＸ方向の長さと同等としてもよい。この場合、第１パネル１４側にある第２反射部材２３は１つである。つまり、本実施形態では、第１パネル１４側では、１つの第２反射部材２３が６つの光源ユニット１８における光Ｌ２の反射を担うことになる。このような形状によれば、第２反射部材２３には延伸方向でのつなぎ目が存在しないので、第１パネル１４の表示面１４ａの一部である表示領域Ｒにおける光ムラの発生を可能な限り抑える観点から有効となる。
【００３９】
第２に、第２反射部材２３の延伸方向の長さは、１つの光源ユニット１８のＸ方向の長さと同等としてもよい。つまり、本実施形態のように光源ユニット１８が６つある場合には、第２反射部材２３もそれぞれの光源ユニット１８ごとに６つある。このような形状によれば、予め第２反射部材２３を光源ユニット１８に組み付けておくことで、第２反射部材２３を含む光源ユニット１８を１つの製品ユニットとして取り扱うことができる。したがって、例えば、光源ユニット１８の設置数が異なる別種類の照明器具に対して、個別に第２反射部材２３を準備することなく、第２反射部材２３を含む光源ユニット１８を組み合わせるだけでよくなるので、光源ユニット１８の汎用性の観点から有効となる。なお、本実施形態のように、２つの光源ユニット１８が１つの電源ユニット２０と１組の取り付け金具５８とを共用する場合には、第２反射部材２３の延伸方向の長さは、これらの組のＸ方向の長さと同等としてもよい。
【００４０】
一方、第２反射部材２３は、光源ユニット１８に支持されるものに代えて、筐体１２に支持されるものであってもよい。
【００４１】
図３は、第２反射部材２３に代えて、筐体１２に支持される第２反射部材６３を採用した照明器具１０を示す断面図である。なお、図３に示す照明器具１０は、図２に示す照明器具１０に合わせて描画されており、第２反射部材６３以外の構成要素については、相違はない。
【００４２】
第２反射部材６３は、第１板部６３ａと第２板部６３ｂとを含む。第１板部６３ａは、第２反射部材２３の第１板部２３ａに対応し、第２板部６３ｂは、第２反射部材２３の第２板部２３ｂに対応する。つまり、第１板部６３ａと第２板部６３ｂとは、Ｘ方向に沿って曲げ線６３ｃを基準として、曲げ角θが鈍角となるように折り曲げられたものである。第１板部６３ａは、第２反射部材２３の第１反射面２３ｄに対応した第１反射面６３ｄを含む。同様に、第２板部６３ｂは、第２反射部材２３の第２反射面２３ｅに対応した第２反射面６３ｅを含む。
【００４３】
これに対して、第２反射部材６３は、更に第３板部６３ｆを含む。第３板部６３ｆは、一端が第２板部６３ｂに連接し、他端が第１枠部３０の天板部３０ａに連結される。第３板部６３ｆの形状は、第１枠部３０のいずれかの場所に直接的に連結されるものであれば特に限定するものではない。このように、第２反射部材６３は、光源ユニット１８とは独立しているので、例えば、光源ユニット１８に予め第２反射部材２３を固定する部分が準備されていない場合でも、照明器具１０に取り付けることができる。
【００４４】
なお、第２反射部材２３や第２反射部材６３は、上記例示では板体を折り曲げ加工することで製作するものとしたが、例えば、予め準備された互いに別体である第１板部２３ａや第２板部２３ｂを溶接等で互いに接合して製作されるものであってもよい。
【００４５】
さらに、照明器具１０は、不図示であるが、筐体１２内に、ブレーカーや、照明のオン・オフを切り替えるスイッチ等を有してもよい。
【００４６】
次に、照明器具１０による効果について説明する。
【００４７】
本実施形態に係る照明器具１０は、情報が記載された透光性のパネルと、パネルの一端を支持する第１枠部３０と、第１枠部３０に対向してパネルの他端を支持する第２枠部３１とを含む筐体１２とを備える。照明器具１０は、第１枠部３０の側に設けられ、パネルの裏面に沿って、第２枠部３１の側に向けて光Ｌ１を照射する光源５０を備える。照明器具１０は、第２枠部３１の側に設けられ、光源５０から照射された光Ｌ１を光源５０の側に向けて反射させる第１反射部材２２を備える。また、照明器具１０は、第１枠部３０の側に設けられ、第１反射部材２２で反射された光Ｌ２をパネルの表示面に向けて反射させる第１反射面２３ｄを有する第２反射部材２３を備える。第１反射面２３ｄは、光源５０の側面とパネルの裏面とが対向する領域に含まれる。
【００４８】
ここで、パネルは、上記例示した第１パネル１４又は第２パネル１６の少なくともいずれかである。例えば、パネルが第１パネル１４である場合、パネルの表示面は、第１パネルの表示面１４ａに相当し、パネルの裏面は、第１パネル１４の裏面１４ｂに相当する。
【００４９】
まず、照明器具１０では、光源５０から照射された光Ｌ１は、第１反射部材２２に向かって進行する。そして、光Ｌ１は、第１反射部材２２の反射面で正反射し、光Ｌ２として光源５０の側に戻る。このような光の進行により、筐体１２内が照明空間となり、照明空間に面している第１パネル１４の裏面１４ｂが照らされる。この点、第２パネル１６の裏面１６ｂについても同様である。これにより、第１パネル１４の表示面１４ａ又は第２パネル１６の表示面１６ａにそれぞれ記載されている情報が明瞭に表示される。
【００５０】
また、照明器具１０では、上記例示のように、光源５０を含む光源ユニット１８が、光源ユニット１８を設置している第１枠部３０よりも、光Ｌ１の進行方向に突出している。この場合、例えば、第１パネル１４側では、光源５０の側面は、Ｙ方向において、第１枠部３０に含まれる第１前枠板３０ｂに対向するのではなく、第１パネル１４の裏面１４ｂに対向する。そこで、照明器具１０は、この光源５０の側面と第１パネル１４の裏面１４ｂとが対向する領域に第１反射面２３ｄが位置するように第２反射部材２３を備える。第１反射面２３ｄは、第１反射部材２２で反射された光Ｌ２を第１パネル１４の表示面１４ａに向けて反射させるので、表示面１４ａの一部である、光源５０の側面に対向する表示領域Ｒが特に照らされることになる。したがって、照明器具１０によれば、表示領域Ｒ近傍での光ムラの発生が抑えられ、引いては、表示面１４ａ上の均斉度の低下を抑えることができる。
【００５１】
これに対して、従来の照明器具では、光源５０の側面と第１パネル１４の裏面１４ｂとが対向する領域に第１反射面２３ｄが位置するような第２反射部材２３を備えないので、当該領域では、筐体１２内の他の照明領域に比べて光の量が不足する。そのため、表示面１４ａでは、表示領域Ｒ近傍が他の領域よりも暗くなり、光ムラとして現れることもあり得る。
【００５２】
また、従来の照明器具では、このような光ムラの発生を抑えるために、光源ユニットが設置される枠部は、光源ユニット全体が隠れる程度の大きさを要するので、その分、第１パネル１４の表示面１４ａを小さくしなければならない。これに対して、本実施形態に係る照明器具１０では、照明器具１０全体及び光源ユニット１８の大きさが従来の照明器具における大きさと同一であったとしても、第１前枠板３０ｂの幅寸法Ｗを小さくすることができる。結果として、照明器具１０によれば、幅寸法Ｗを小さくした分、表示面１４ａを広くすることができる。なお、これらの効果を奏する点は、第２パネル１６側の第２反射部材２３についても同様である。
【００５３】
したがって、本実施形態によれば、均斉度を確保しつつ、パネルの表示面を広げるのに有利な照明器具１０を提供することができる。
【００５４】
また、照明器具１０では、光源５０は、第１枠部３０に取り付けられる光源ユニット１８の一部である。この場合、第１反射面２３ｄは、パネルの裏面に沿った方向における第１枠部３０の端部と光源ユニット１８の先端部との間の表示領域Ｒに面してもよい。
【００５５】
このような照明器具１０によれば、例えば、第１パネル１４の表示面１４ａ側から筐体１２の内部を見たとき、光源ユニット１８は、第１反射面２３ｄに隠れて視認されない。この状態では、表示領域Ｒにおいて、第１反射面２３ｄで反射した光Ｌ３が到達しない部分が生じづらくなるので、表示領域Ｒ全体として光の量が不足する領域をより低減させることができる。
【００５６】
また、照明器具１０では、第２反射部材２３は、光源ユニット１８に支持されてもよい。
【００５７】
このような照明器具１０によれば、予め第２反射部材２３を光源ユニット１８に組み付けておくことで、第２反射部材２３を含む光源ユニット１８を１つの製品ユニットとして取り扱うことができ、光源ユニット１８の汎用性を向上させることができる。
【００５８】
また、照明器具１０では、第２反射部材２３は、筐体１２に支持されてもよい。
【００５９】
このような照明器具１０によれば、第２反射部材６３は、光源ユニット１８とは独立したものとなるので、光源ユニット１８の構成によることなく、照明器具１０に取り付けられる。
【００６０】
また、照明器具１０では、第１反射面２３ｄは、白色面であってもよい。
【００６１】
このような照明器具１０によれば、第１反射面２３ｄは、第１反射部材２２で反射された光Ｌ２をより拡散しやすくなる。また、例えば、第１パネル１４の材質を考慮すると、第１反射面２３ｄの色と第１パネル１４の色とが同系となるので、外部から第１反射面２３ｄを視認しづらくすることができる。
【００６２】
また、照明器具１０では、第２反射部材２３は、光源５０で生じた光を第２枠部３１の側に向けて反射させる第２反射面２３ｅを有してもよい。
【００６３】
このような照明器具１０によれば、第２反射面２３ｅは、例えば、光源５０側から側方に漏れた光を集光し、第２枠部３１側に向かう光Ｌ１とすることができるので、高い均斉度を得るのに有利となる。
【００６４】
また、照明器具１０では、第２反射面２３ｅには、鏡面仕上げが施されているものとしてもよい。
【００６５】
このような照明器具１０によれば、第２反射面２３ｅは、例えば、光源５０側から側方に漏れた光をより効率よく集光することができるので、より高い均斉度を得るのに有利となる。
【００６６】
また、照明器具１０では、第２反射部材２３は、光源５０の配列方向に沿った曲げ線２３ｃを基準として、曲げ角θが鈍角となるように折り曲げられた第１板部２３ａと第２板部２３ｂとを含む板体加工部材であってもよい。この場合、第１板部２３ａは、第１反射面２３ｄを含んでもよい。第２板部２３ｂは、第２反射面２３ｅを含んでもよい。
【００６７】
このような照明器具１０によれば、作業者は、一般に存在する板体を折り曲げ加工することで、容易に第２反射部材２３を製作することができる。
【００６８】
また、照明器具１０では、パネルは、一方の側に表出する第１パネル１４と、光源５０が光を照射する空間を挟んで第１パネル１４とは反対側に表出する第２パネル１６とを含んでもよい。また、第２反射部材２３は、第１パネル１４の側と第２パネル１６の側とのそれぞれにあってもよい。この場合、一方の第２反射部材２３に含まれる第１反射面２３ｄは、第１反射部材２２で反射された光を第１パネル１４の表示面１４ａに向けて反射させる。他方の第２反射部材２３に含まれる第１反射面２３ｄは、第１反射部材２２で反射された光を第２パネル１６の表示面１６ａに向けて反射させる。
【００６９】
本開示の照明器具１０は、このように両面発光型の照明器具に適用することも可能であるし、又は、第１パネル１４のみを有する片面発光形の照明器具にも適用可能である。
【００７０】
なお、上記の説明では、１つの光源ユニット１８が、光源５０を等間隔で一列に７つ備え、また、照明器具１０全体としては、このような光源ユニット１８を等間隔で一列に６つ備えるものとした。しかし、光源ユニット１８の構成は、これに限定されるものではなく、特に光源５０の設置数や配置についても、状況に応じて適宜変更しても構わない。
【００７１】
以上、好ましい実施形態について説明したが、本実施形態は、これ限定されず、その要旨の範囲内で種々の変形及び変更が可能である。
【符号の説明】
【００７２】
１０    照明器具
１２    筐体
１４    第１パネル
１４ａ  第１パネルの表示面
１４ｂ  第１パネルの裏面
１６    第２パネル
１６ａ  第２パネルの表示面
１６ｂ  第２パネルの裏面
１８    光源ユニット
２２    第１反射部材
２３    第２反射部材
２３ａ  第１板部
２３ｂ  第２板部
２３ｃ  曲げ線
２３ｄ  第１反射面
２３ｅ  第２反射面
３０    第１枠部
３１    第２枠部
５０    光源
Ｒ      表示領域
θ      曲げ角
【図１】
2020119699.tif 000003
【図２】
2020119699.tif 000004
【図３】
2020119699.tif 000005